(57)【要約】【課題】電線に端子金具を接続する際に電線に対する端子金具の方向性をなくす。【解決手段】端子金具３０の電線接続部３２には電線５０が後方から収容され、電線接続部３２の切起片３５を電線５０に係止させることでその電線５０を抜止めしている。電線接続部３２は円筒状をなしているので、電線５０との接続に際しては、電線５０に対して端子金具３０を周方向に位置決めする必要がない。したがって、電線５０に接続するための装置には端子金具３０を所定の姿勢にセットするための機構が不要であり、装置の簡素化を図ることができる。【選択図】  図５
2004241246.tif 000002
【特許請求の範囲】
【請求項１】
前端側に相手側端子に接続される端子接続部を有し、後端側に電線の端末部に接続される電線接続部を有する端子金具であって、
前記電線接続部が、前記電線を後方から収容可能な円筒状をなし、
前記電線接続部には、前記電線に係止することでその電線の抜けを規制可能な抜止め手段が設けられていることを特徴とする端子金具。
【請求項２】
前記電線接続部が、前記電線の芯線を収容する芯線収容部と、前記電線の絶縁被覆を収容する被覆収容部とを同軸状に連ねた形態とされ、
前記抜止め手段が、前記芯線収容部を縮径変形させつつ前記芯線にカシメ付けることで、その芯線を抜止めするとともに前記電線接続部と前記芯線とを導通可能に接続する構成とされていることを特徴とする請求項１記載の端子金具。
【請求項３】
前記電線接続部が、前記電線の芯線を収容する芯線収容部と、前記電線の絶縁被覆を収容する被覆収容部とを同軸状に連ねた形態とされ、
前記抜止め手段が、前記被覆収容部の一部を内側へ切り起こしてその切起片の先端を前記絶縁被覆に食い込ませる構成とされていることを特徴とする請求項１又は請求項２記載の端子金具。
【請求項４】
前記端子接続部が前記電線接続部と同心の円形に形成されていることを特徴とする請求項１乃至請求項３のいずれかに記載の端子金具。
【請求項５】
前記端子接続部の外径が、前記電線接続部の外径とほぼ同じ寸法かそれよりも小さい寸法とされ、
前記電線接続部の外径が、前記電線の絶縁被覆の外径とほぼ同じ寸法かそれよりも小さい寸法とされていることを特徴とする請求項４記載の端子金具。
【請求項６】
前端側に相手側端子に接続される端子接続部を有し、後端側に電線の端末部に接続される電線接続部を有する端子金具をハウジングに収容してなるコネクタであって、
前記電線接続部が、前記電線を後方から収容可能な円筒状をなし、
前記電線接続部には、前記電線に係止することでその電線の抜けを規制可能な抜止め手段が設けられていることを特徴とするコネクタ。
【請求項７】
前記電線接続部が、前記電線の芯線を収容する芯線収容部と、前記電線の絶縁被覆を収容する被覆収容部とを同軸状に連ねた形態とされ、
前記抜止め手段が、前記被覆収容部の一部を内側へ切り起こしてその切起片の先端を前記絶縁被覆に食い込ませる構成とされ、
前記切起片の切り起こしによって形成された係止孔に、前記ハウジング内に形成した係止部を係止させることにより、前記端子金具が抜止めされていることを特徴とする請求項６記載のコネクタ。
【請求項８】
前記端子接続部が前記電線接続部と同心の円形に形成されていることを特徴とする請求項６及び請求項７に記載のコネクタ。
【請求項９】
前記端子接続部の外径が、前記電線接続部の外径とほぼ同じ寸法かそれよりも小さい寸法とされ、
前記電線接続部の外径が、前記電線の絶縁被覆の外径とほぼ同じ寸法かそれよりも小さい寸法とされていることを特徴とする請求項８記載のコネクタ。
【請求項１０】
前端側に端子接続部を有し、後端側に電線接続部を有する端子金具と、
前記端子金具が収容された第１ハウジングと、
前記端子金具が収容された第２ハウジングと、
前記第１ハウジングに収容された中継端子とを備えたコネクタであって、
前記端子接続部が丸ピン状をなし、
前記電線接続部が円筒状をなし、その電線接続部には電線が収容された状態で固着され、
前記中継端子が、両端開放の円筒状をなし、前記第１ハウジングに収容された状態では、その中継端子の一方の開口に前記端子金具の端子接続部が差し込まれるようになっているとともに、
前記第１ハウジングと前記第２ハウジングとを嵌合した状態では、前記第２ハウジングに収容されている前記端子金具の端子接続部が、前記中継端子における他方の開口から差し込まれることで、前記第１ハウジング側の端子金具と前記第２ハウジング側の端子金具とが前記中継端子を介して接続される構成としたことを特徴とするコネクタ。
【発明の詳細な説明】
【０００１】
【発明の属する技術分野】
本発明は、電線に接続される端子金具及びその端子金具が収容されるコネクタに関するものである。
【０００２】
【従来の技術】
従来、電線の端末に端子金具を固着する手段として、端子金具にオープンバレル状の電線圧着部を形成してその電線圧着部を電線に圧着する方法や、端子金具に圧接刃を形成してその圧接刃に電線を圧接する方法がある。圧着による固着方法としては特許文献１に開示されているもの等があり、圧接による固着方法としては特許文献２に開示されているもの等がある。
【０００３】
【特許文献１】
特開平０８−０５０９４７号公報
【０００４】
【特許文献２】
特開平１１−２６０４６３号公報
【０００５】
【発明が解決しようとする課題】
上記のように圧着や圧接による接続方法では、この端子金具における接続部分（電線圧着部又は圧接刃）の形状が周方向において方向性がある。つまり、圧着の場合は電線圧着部に対して電線を組み付ける方向が決まっており、圧接の場合は圧接刃に対する電線の圧接方向が決まっており、端子金具に電線を固着する際には、端子金具を電線に対して正しい向きにセットしなければならない。
【０００６】
このため、自動機を用いて電線を固着する場合には、端子金具を所定の向きにセットするための機構が必要となり、自動機の構造が複雑になるという問題がある。
本願発明は上記事情に鑑みて創案され、電線に端子金具を接続する際に電線に対する端子金具の方向性をなくすことを目的としている。
【０００７】
【課題を解決するための手段】
請求項１の発明は、前端側に相手側端子に接続される端子接続部を有し、後端側に電線の端末部に接続される電線接続部を有する端子金具であって、前記電線接続部が、前記電線を後方から収容可能な円筒状をなし、前記電線接続部には、前記電線に係止することでその電線の抜けを規制可能な抜止め手段が設けられている構成とした。
【０００８】
請求項２の発明は、請求項１の発明において、前記電線接続部が、前記電線の芯線を収容する芯線収容部と、前記電線の絶縁被覆を収容する被覆収容部とを同軸状に連ねた形態とされ、前記抜止め手段が、前記芯線収容部を縮径変形させつつ前記芯線にカシメ付けることで、その芯線を抜止めするとともに前記電線接続部と前記芯線とを導通可能に接続する構成とされている。
請求項３の発明は、請求項１又は請求項２の発明において、前記電線接続部が、前記電線の芯線を収容する芯線収容部と、前記電線の絶縁被覆を収容する被覆収容部とを同軸状に連ねた形態とされ、前記抜止め手段が、前記被覆収容部の一部を内側へ切り起こしてその切起片の先端を前記絶縁被覆に食い込ませる構成とされている。
【０００９】
請求項４の発明は、請求項１乃至請求項３のいずれかの発明において、前記端子接続部が前記電線接続部と同心の円形に形成されている構成とした。
請求項５の発明は、請求項４の発明において、前記端子接続部の外径が、前記電線接続部の外径とほぼ同じ寸法かそれよりも小さい寸法とされ、前記電線接続部の外径が、前記電線の絶縁被覆の外径とほぼ同じ寸法かそれよりも小さい寸法とされている構成とした。
【００１０】
請求項６の発明は、前端側に相手側端子に接続される端子接続部を有し、後端側に電線の端末部に接続される電線接続部を有する端子金具をハウジングに収容してなるコネクタであって、前記電線接続部が、前記電線を後方から収容可能な円筒状をなし、前記電線接続部には、前記電線に係止することでその電線の抜けを規制可能な抜止め手段が設けられている構成とした。
請求項７の発明は、請求項６の発明において、前記電線接続部が、前記電線の芯線を収容する芯線収容部と、前記電線の絶縁被覆を収容する被覆収容部とを同軸状に連ねた形態とされ、前記抜止め手段が、前記被覆収容部の一部を内側へ切り起こしてその切起片の先端を前記絶縁被覆に食い込ませる構成とされ、前記切起片の切り起こしによって形成された係止孔に、前記ハウジング内に形成した係止部を係止させることにより、前記端子金具が抜止めされている構成とした。
【００１１】
請求項８の発明は、請求項６又は請求項７の発明において、前記端子接続部が前記電線接続部と同心の円形に形成されている構成とした。
請求項９の発明は、請求項８の発明において、前記端子接続部の外径が、前記電線接続部の外径とほぼ同じ寸法かそれよりも小さい寸法とされ、前記電線接続部の外径が、前記電線の絶縁被覆の外径とほぼ同じ寸法かそれよりも小さい寸法とされている構成とした。
【００１２】
請求項１０の発明は、前端側に端子接続部を有し、後端側に電線接続部を有する端子金具と、前記端子金具が収容された第１ハウジングと、前記端子金具が収容された第２ハウジングと、前記第１ハウジングに収容された中継端子とを備えたコネクタであって、前記端子接続部が丸ピン状をなし、前記電線接続部が円筒状をなし、その電線接続部には電線が収容された状態で固着され、前記中継端子が、両端開放の円筒状をなし、前記第１ハウジングに収容された状態では、その中継端子の一方の開口に前記端子金具の端子接続部が差し込まれるようになっているとともに、前記第１ハウジングと前記第２ハウジングとを嵌合した状態では、前記第２ハウジングに収容されている前記端子金具の端子接続部が、前記中継端子における他方の開口から差し込まれることで、前記第１ハウジング側の端子金具と前記第２ハウジング側の端子金具とが前記中継端子を介して接続される構成とした。
【００１３】
【発明の作用及び効果】
［請求項１及び請求項６の発明］
電線に接続する際には、電線接続部内に電線を差し込み、その電線に対して抜止め手段を係止させる。電線接続部は円筒状をなしているので、電線との接続に際しては、電線に対して端子金具を周方向に位置決めする必要がない。したがって、電線に接続するための装置には端子金具を所定の姿勢にセットするための機構が不要であり、装置の簡素化を図ることができる。
【００１４】
［請求項２の発明］
抜止め手段が、芯線を抜け止めするだけでなく、芯線と電線接続部とを導通可能に接続する手段を兼ねているので、導通手段と抜止め手段とを別々に設けるものに比べて端子金具の簡素化が可能である。また、芯線と電線接続部を固着する手段としては溶接による方法も考えられるが、本発明ではカシメ付けによって固着するようにしたので、溶接に比べてコスト低減を図ることができる。
【００１５】
［請求項３の発明］
絶縁被覆を抜止めする手段として、被覆収容部の一部を内側へ切り起こした切起片の先端を絶縁被覆に食い込ませるようにしたので、絶縁被覆を確実に抜け止めすることができる。
［請求項４及び請求項８の発明］
端子接続部が電線接続部と同心の円形に形成されているので、端子金具をコネクタのハウジングに収容して相手側端子に接続するときに、周方向における端子金具の向きを考慮せずに済む。
【００１６】
［請求項５及び請求項９の発明］
端子接続部や電線接続部を非円形とした場合は、その大きさが電線の外径よりも大きくなってしまうことが懸念されるが、本発明では、端子接続部と電線接続部の双方が、電線の絶縁被覆の外径とほぼ同じ寸法かそれよりも小さい寸法とされている。これにより、複数の端子金具を並列する場合にそのピッチを小さくすることができる。
［請求項７の発明］
絶縁被覆を抜止めする手段として、被覆収容部の一部を内側へ切り起こした切起片の先端を絶縁被覆に食い込ませるようにしたので、絶縁被覆を確実に抜け止めすることができる。また、切起片の切り起こしによって形成された係止孔を利用して端子金具をハウジングに対して抜止めしているので、ハウジング内部の形状の簡素化を図ることができる。
【００１７】
［請求項１０の発明］
電線に接続する際には、電線接続部内に電線を差し込み、その電線に対して抜止め手段を係止させる。電線接続部は円筒状をなしているので、電線との接続に際しては、電線に対して端子金具を周方向に位置決めする必要がない。したがって、電線に接続するための装置には端子金具を所定の姿勢にセットするための機構が不要であり、装置の簡素化を図ることができる。
また、両端が開口した円筒状の中継端子を用いたので、第１ハウジングに収容される端子金具と第２ハウジングに収容される端子金具を共通部品とすることができる。
【００１８】
【発明の実施の形態】
［実施形態１］
以下、本発明を具体化した実施形態１を図１乃至図７を参照して説明する。
本実施形態１のコネクタＡは、端子金具３０と中継端子４０を収容した第１ハウジング１０と、端子金具３０を収容した第２ハウジング２０とからなり、両ハウジング１０，２０を嵌合することで、双方の端子金具３０が中継端子４０を介して導通可能に接続されるようになっている。
【００１９】
第１ハウジング１０は、その前後両端面間に貫通する複数のキャビティ１１を有しており、正面から視ると複数のキャビティ１１は上下左右に一定ピッチで整列して配置されている。キャビティ１１は概ね円形の貫通孔からなり、その内径はその全長に亘ってほぼ一定寸法である。キャビティ１１の内周には、その前後方向におけるほぼ中央位置から内向きに突出する複数の前止まり部１２が形成され、この前止まり部１２よりも後方（図３における右方）の位置には突起状の係止部１３が形成されている。係止部１３は、周方向に１８０°間隔を空けた上下２カ所に配置されている。尚、第１ハウジング１０の上面にはロックアーム１４が形成されている。
【００２０】
第２ハウジング２０は、その前後両端面間に貫通するとともに第１ハウジング１０の各キャビティ１１と対応する複数のキャビティ２１を有している。キャビティ２１は概ね円形の貫通孔からなり、その内径はその全長に亘ってほぼ一定寸法である。キャビティ２１の前端部内周には内向きに突出する複数の前止まり部２２が形成され、この前止まり部２２よりも後方（図２における左方）の位置には突起状の係止部２３が形成されている。この係止部２３は、周方向に１８０°間隔を空けた上下２カ所に配置されている。また、第２ハウジング２０には、その前端面周縁部から前方へ延出する角筒状のフード部２４が形成され、このフード部２４の上面壁前端部にはロック部２５が形成されている。
【００２１】
端子金具３０は、金属板材に曲げ加工などを施したものであり、全体として前後方向に細長い形状をなしている。この端子金具３０は、円形の芯線５１の外周を円筒状の絶縁被覆５２で包囲した形態の電線５０の端末部に接続される。端子金具３０の略前半部分は、丸ピン状、即ち円形の細長い形状をなす端子接続部３１となっており、略後半部分は、端子接続部３１と同心の円筒形をなす電線接続部３２となっている。電線接続部３２の外径は端子接続部３１の外径よりも大きく、その電線接続部３２の中空内には後方から電線５０が差し込まれるようになっている。
【００２２】
電線接続部３２のうち略前半部分は芯線収容部３３となっており、略後半部分は芯線収容部３３よりも僅かに径の大きい被覆収容部３４となっている。被覆収容部３４の外径は電線５０の絶縁被覆５２の外径とほぼ同じ寸法に設定され、被覆収容部３４の内径は電線５０の最大外径、即ち絶縁被覆５２の外径よりも小さい寸法とされている。芯線収容部３３の内径は、芯線５１の外径とほぼ同じかそれよりも僅かに大きい寸法とされている。尚、端子接続部３１の外径は、芯線収容部３３の内径よりも僅かに小さい寸法とされている。
【００２３】
また、被覆収容部３４には、内側へ切り起こすことによって上下一対の切起片３５（本発明の構成要件である抜止め手段）が形成されている。この２つの切起片３５は、周方向に１８０°間隔を空けて配置、即ち、第１ハウジング１０の係止部１３及び第２ハウジング２０の係止部１３と対応する配置となっている。かかる切起片３５は、前方、即ち被覆収容部３４に対する電線５０の差込み方向先方に向かって斜めに片持ち状に延出した形態となっている。また、切起片３５の切り起こしによって開口した部分は係止孔３６となっている。
【００２４】
中継端子４０は、平板状の金属板材に曲げ加工等を施したものであって、全体として円筒形をなしており、金属板材の側縁同士の突当部分では、拡開可能なスリット４１が前後方向に直線状に延びている。中継端子４０を構成する金属板材の板厚は、上記端子金具３０を構成する金属板材の板厚とほぼ同じである。また、中継端子４０の外径寸法は、端子金具３０の電線接続部３２とほぼ同じ寸法かそれよりも僅かに細い径とされ、中継端子４０の内径は、端子金具３０の端子接続部３１の外径とほぼ同じ寸法かそれよりも僅かに大きい寸法とされている。
【００２５】
かかる中継端子４０の長さ方向におけるほぼ中央位置には、斜め外前方へ片持ち状に延出した形態の抜止片４２が、切り起こしによって上下一対形成されている。また、中継端子４０における抜止片４２よりも前方の位置と後方の位置には、夫々、周方向に沿い且つ全周に亘って連続する細長い接触部４３が形成されている。接触部４３は、内側へリブ状に縮径させたものであって、外周においては溝状をなしている。かかる接触部４３の内径は、端子金具３０の端子接続部３１の外径よりも僅かに小さい寸法とされている。
【００２６】
次に、コネクタＡの組付けについて説明する。
端子金具３０を電線５０の端末部に接続する際には、まず、電線５０の端末部において絶縁被覆５２を除去し、芯線５１の端部を端子金具３０の芯線収容部３３と対応する長さだけ露出させておく。この電線５０を後方から電線接続部３２に差し込んでその奥端（前端）に突き当てると、芯線５１の露出部が芯線収容部３３内に収容されるとともに、絶縁被覆５２の端末部が被覆収容部３４内に収容される。この状態では、被覆収容部３４の切起片３５の先端が絶縁被覆５２に食い込むことにより、電線５０が端子金具３０（電線接続部３２）に対して抜止め状態に保持される。また、絶縁被覆５２が上下一対の切起片３５によって弾性的に挟み付けられるため、この弾性挟圧力によっても電線５０の抜け規制が図られている。
【００２７】
次に、芯線収容部３３を周方向に沿って縮径変形させつつ芯線５１にカシメ付ける。この縮径部３７は、前後２カ所に形成され、全周に亘って連続して芯線５１の外周に食い込む。この縮径部３７の食い込み作用により、芯線５１が電線接続部３２に対して抜止めされるとともに、電線接続部３２と芯線５１とが導通可能に接続される。以上により、電線５０の端末に対して端子金具３０が同芯状に固着される。
【００２８】
一方、第１ハウジング１０においては、各キャビティ１１に対して前方から中継端子４０が挿入されて前止まり部１２に突き当てられる。このようにキャビティ１１に収容された中継端子４０は、その抜止片４２の先端（前端）をキャビティ１１の内壁に食い込ませることにより抜止め状態に保持される。
同じく第１ハウジング１０においては、各キャビティ１１に上記端子金具３０が後方から挿入されて前止まり部１２に突き当てられる。このように収容された端子金具３０は、その被覆収容部３４に形成した係止孔３６にキャビティ１１の係止部１３を係止させることで、抜止め状態に保持される。また、この状態では、端子接続部３１が中継端子４０に対して後方から嵌入され、その端子接続部３１の外周に対して接触部４３が当接する。このとき、中継端子４０は僅かに拡径するように弾性変形するため、その中継端子４０の弾性復元力により接触部４３が所定の接触圧で端子接続部３１を締め付ける。これにより、端子金具３０と中継端子４０とが導通可能に接続された状態となる。
【００２９】
第２ハウジング２０においても、各キャビティ２１に上記端子金具３０が後方から挿入されて前止まり部２２に突き当てられる。このように収容された端子金具３０は、その被覆収容部３４に形成した係止孔３６にキャビティ２１の係止部２３を係止させることで、抜止め状態に保持される。また、端子接続部３１はフード部２４内に突出した状態となる。
上記のように端子金具３０と中継端子４０を収容した第１ハウジング１０は、端子金具３０を収容した第２ハウジング２０のフード部２４に嵌合され、ロックアーム１４とロック部２５との係合によって両ハウジング１０，２０が嵌合状態にロックされる。この嵌合状態では、第２ハウジング２０のフード部２４に突出している端子金具３０の端子接続部３１が、中継端子４０に対して前方から嵌入され、その端子接続部３１の外周に対して接触部４３が当接する。このとき、中継端子４０の略前半部分が僅かに拡径するように弾性変形するため、その中継端子４０の弾性復元力により接触部４３が所定の接触圧で端子接続部３１を締め付ける。これにより、第２ハウジング２０の端子金具３０と中継端子４０とが導通可能に接続され、ひいては、第１ハウジング１０の端子金具３０と第２ハウジング２０の端子金具３０とが中継端子４０を介して導通可能に接続される。
【００３０】
上述のように本実施形態においては、端子金具３０と電線５０とを接続する際には、電線接続部３２内に電線５０を差し込み、その電線５０に対して抜止め手段としての切起片３５を係止させるのであるが、電線接続部３２は円筒状をなしているので、電線５０に対して端子金具３０を周方向に位置決めする必要がない。したがって、電線５０に接続するための装置には端子金具３０を所定の姿勢にセットするための機構が不要であり、これにより、装置の簡素化を図ることが可能となっている。
【００３１】
また、切起片３５が、芯線収容部３３を縮径変形させた縮径部３７を芯線５１にカシメ付けることで、その芯線５１を抜止めするとともに電線接続部３２と芯線５１とを導通可能に接続するようになっているが、このように縮径部３７が、芯線５１を抜け止めするだけでなく、芯線５１と電線接続部３２とを導通可能に接続する手段を兼ねているので、導通手段と抜止め手段とを別々に設けるものに比べて端子金具３０の簡素化が可能となっている。
【００３２】
また、芯線５１と電線接続部３２を固着する手段としては溶接による方法も考えられるが、本実施形態ではカシメ付けによって固着するようにしたので、溶接に比べてコスト低減を図ることが可能となっている。
また、電線接続部３２に対して絶縁被覆５２を抜止めする手段として、被覆収容部３４の一部を内側へ切り起こした切起片３５の先端を絶縁被覆５２に食い込ませるようにしたので、絶縁被覆５２を確実に抜け止めすることができる。
【００３３】
しかも、切起片３５の切り起こしによって形成された係止孔３６を利用して端子金具３０をハウジング１０，２０に対して抜止めしているので、ハウジング１０，２０内部（キャビティ１１，２１）の形状の簡素化を図ることが可能となっている。
また、端子接続部３１が電線接続部３２と同心の円形に形成されているので、端子金具３０をコネクタＡのハウジング１０，２０に収容して中継端子４０（相手側端子）に接続するときに、周方向における端子金具３０の向きを考慮せずに済む。
【００３４】
また、本実施形態とは異なり端子接続部や電線接続部を非円形とした場合には、その大きさが電線５０の外径よりも大きくなってしまうことが懸念されるが、本実施形態では、端子接続部３１と電線接続部３２の双方が、電線５０の絶縁被覆５２の外径とほぼ同じ寸法かそれよりも小さい寸法とされているため、並列する複数の端子金具３０のピッチを小さくすることが可能となっている。
また、第１ハウジング１０の端子金具３０と第２ハウジング２０の端子金具３０とを接続する手段として、両端が開口した円筒状の中継端子４０を用いたので、第１ハウジング１０に収容される端子金具３０と第２ハウジング２０に収容される端子金具３０を共通部品とすることが実現されている。
【００３５】
［実施形態２］
次に、本発明を具体化した実施形態２を図８及び図９を参照して説明する。
本実施形態２のコネクタＢは、第１ハウジング６０の構成及びそこに収容される第１端子金具７０を上記実施形態１とは異なる構成としたものである。その他の構成については上記実施形態１と同じであるため、同じ構成については、同一符号を付し、構造、作用及び効果の説明は省略する。
上記実施形態１では、第１ハウジング１０に中継端子４０を収容していたのに対し、本実施形態２では、中継端子４０を用いずに第１ハウジング１０に収容される第１端子金具７０と第２ハウジング２０に収容される第２端子金具３０とを直接嵌合して接続するようになっている。尚、第２ハウジング２０は実施形態１と同じ構成であり、第２端子金具３０は実施形態１の端子金具３０と同じ構成である。
【００３６】
第１ハウジング６０は、その前後両端面間に貫通する複数のキャビティ６１を有しており、正面から視ると複数のキャビティ６１は上下左右に一定ピッチで整列して配置されている。キャビティ６１は概ね円形の貫通孔からなり、その内径はその全長に亘ってほぼ一定寸法である。キャビティ６１の後端部には、第１端子金具７０を抜止めするための突起状の係止部６２が形成されている。係止部６２は、周方向に１８０°間隔を空けた上下２カ所に配置されている。
【００３７】
第１端子金具７０は、金属板材に曲げ加工などを施したものであり、全体として前後方向に細長い形状をなしている。第１端子金具７０の略前半部分は、円筒状をなす端子接続部７１となっており、略後半部分は、端子接続部７１よりも僅かに大径の円筒形をなすとともに端子接続部７１に対して同心状に連続する電線接続部７２となっている。
電線接続部７２のうち略前半部分は芯線収容部７３となっており、略後半部分は芯線収容部７３よりも僅かに径の大きい被覆収容部７４となっている。被覆収容部７４の外径は、電線５０の絶縁被覆５２の外径とほぼ同じ寸法に設定され、芯線収容部７３の内径は、芯線５１の外径とほぼ同じかそれよりも僅かに大きい寸法に設定されている。
【００３８】
被覆収容部７４には、内側へ切り起こすことによって上下一対の切起片７５（本発明の構成要件である抜止め手段）が形成されている。この２つの切起片７５は、周方向に１８０°間隔を空けて配置、即ち、第１ハウジング６０の係止部６２と対応する配置となっている。かかる切起片７５は、前方、即ち電線接続部７２に対する電線５０の差込み方向先方に向かって斜めに片持ち状に延出した形態となっている。
【００３９】
端子接続部７１の長さ方向におけるほぼ中央位置には、周方向に沿い且つ全周に亘って連続する細長い接触部７６が形成されている。接触部７６は、内側へリブ状に縮径させたものであって、外周においては溝状をなしている。かかる接触部７６の内径は、第２端子金具３０の端子接続部７１の外径よりも僅かに小さい寸法とされている。
次に、コネクタＢの組付けについて説明する。
第１端子金具７０を電線５０の端末部に接続する際には、電線５０を後方から電線接続部７２に所定の長さだけ差し込み、芯線５１の露出部を芯線収容部７３に収容するとともに、絶縁被覆５２の端末部を被覆収容部７４内に収容する。この状態では、被覆収容部７４の切起片７５の先端が絶縁被覆５２に食い込むことにより、電線５０が第１端子金具７０に対して抜止め状態に保持される。また、絶縁被覆５２は上下一対の切起片７５によって弾性的に挟み付けられるため、この弾性挟圧力によっても電線５０の抜け規制が図られている。
【００４０】
次に、芯線収容部７３を周方向に沿って縮径変形させつつ芯線５１にカシメ付ける。この縮径部７７は、前後２カ所に形成され、全周に亘って連続して芯線５１の外周に食い込む。この縮径部７７の食い込み作用により、芯線５１が電線接続部７２に対して抜止めされるとともに、電線接続部７２と芯線５１とが導通可能に接続される。以上により、電線５０の端末に対して第１端子金具７０が同芯状に固着される。
【００４１】
次に、第１ハウジング６０の各キャビティ６１に第１端子金具７０を後方から挿入し、その被覆収容部７４において切起片７５の切り起しに伴なって形成された係止孔７８にキャビティ６１の係止部６２を係止させることで、第１端子金具７０を第１ハウジング６０に対して抜止め状態に保持する。
このようにして第１端子金具７０を収容した第１ハウジング６０は、第２端子金具３０が収容されている第２ハウジング２０のフード部２４に嵌合され、ロックアーム７９とロック部２５との係合によって両ハウジング２０，６０が嵌合状態にロックされる。この嵌合状態では、第２端子金具３０の端子接続部７１が、第１端子金具７０の端子接続部７１に対して前方から嵌入され、第２端子金具３０の端子接続部７１の外周に対して第１端子金具７０の接触部７６が当接する。これにより、第１端子金具７０と第２端子金具３０とが雄雌嵌合によって導通可能に接続される。
【００４２】
本実施形態２においては中継端子が不要なので、実施形態１に比べて部品点数及び第１ハウジング６０側における組付け工数が少なくなっている。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００４３】
（１）上記実施形態では端子接続部を円形としたが、本発明によれば、端子接続部を非円形（例えば、角筒形や平板なタブ状）としてもよい。
（２）上記実施形態では芯線と電線接続部とをカシメ付けにより固着したが、本発明によれば、芯線と電線接続部とを溶接によって固着してもよい。
（３）上記実施形態では絶縁被覆に切起片の先端を食い込ませることによって電線を抜止めするようにしたが、本発明によれば、被覆収容部を雌雄方向に縮径させつつ絶縁被覆にカシメ付けることによって抜止めしてもよい。
【００４４】
（４）上記実施形態では端子接続部を電線接続部と同心の円形に形成したが、本発明によれば、端子接続部が電線接続部に対して偏心した円形のものであってもよい。
（５）上記実施形態では電線接続部の外径を電線の絶縁被覆の外径とほぼ同じ寸法としたが、本発明によれば、電線接続部の外径を絶縁被覆の外径よりも小さい寸法としてもよい。
（６）上記実施形態では端子金具を抜止めするための係止孔を切起片の切り起こし部分に形成したが、本発明によれば、切り起こし部分とは別の箇所に係止孔を形成してもよい。
【図面の簡単な説明】
【図１】実施形態１における第１ハウジングと第２ハウジングの離脱状態の斜視図
【図２】第２ハウジングの断面図
【図３】第１ハウジングの断面図
【図４】第１ハウジングと第２ハウジングを嵌合した状態の断面図
【図５】（ａ）端子金具に電線を接続する前の状態の斜視図
（ｂ）端子金具に電線を接続した状態の斜視図
【図６】（ａ）端子金具に電線を接続する前の状態の断面図
（ｂ）端子金具に電線を接続した状態の断面図
【図７】中継端子の斜視図
【図８】実施形態２において第１ハウジングと第２ハウジングを離脱した状態をあらわす断面図
【図９】両ハウジングを嵌合した状態の断面図
【符号の説明】
Ａ…コネクタ
１０…第１ハウジング
１３…係止部
２０…第２ハウジング
２３…係止部
３０…端子金具
３１…端子接続部
３２…電線接続部
３３…芯線収容部
３４…被覆収容部
３５…切起片（抜止め手段）
３６…係止孔
４０…中継端子
５０…電線
５１…芯線
５２…絶縁被覆
Ｂ…コネクタ
６０…第１ハウジング
６２…係止部
７０…第１端子金具
７１…端子接続部
７２…電線接続部
７３…芯線収容部
７４…被覆収容部
７５…切起片（抜止め手段）
７８…係止孔
【図１】
2004241246.tif 000003
【図２】
2004241246.tif 000004
【図３】
2004241246.tif 000005
【図４】
2004241246.tif 000006
【図５】
2004241246.tif 000007
【図６】
2004241246.tif 000008
【図７】
2004241246.tif 000009
【図８】
2004241246.tif 000010
【図９】
2004241246.tif 000011